【手続補正書】
【提出日】平成18年10月4日(2006.10.4)
【手続補正１】
【補正対象書類名】明細書
【補正対象項目名】発明の名称
【補正方法】変更
【補正の内容】
【発明の名称】電子制御装置の入出力接続検査方法
【手続補正２】
【補正対象書類名】明細書
【補正対象項目名】特許請求の範囲
【補正方法】変更
【補正の内容】
【特許請求の範囲】
【請求項１】  複数の入力端子および出力端子を備えるマイクロコンピュータを搭載する電子制御装置に対し、
前記複数の入力端子に対して前記複数の出力端子を割当て、前記複数の出力端子からは、前記複数の入力端子への入力状態に従って異なる出力状態が導出されるように動作させておき、
前記複数の入力端子への入力状態を変化させて、前記複数の出力端子からの出力状態を確認することを特徴とする電子制御装置の入出力検査方法。
【請求項２】  複数の入力端子および出力端子を備えるマイクロコンピュータを搭載する電子制御装置に対し、
予め各入力端子にそれぞれ１つの出力端子を割当てるように動作させておき、
各入力端子への入力を変化させて、割当てられている出力端子からの出力の変化を確認することを特徴とする電子制御装置の入出力接続検査方法。
【請求項３】  複数の入力端子および出力端子を備えるマイクロコンピュータを搭載する電子制御装置に対し、
予め定める複数の入力端子に対して１つの出力端子を割当て、該出力端子からは、該複数の入力端子への入力状態に従って異なるようにコード化された出力を導出するように動作させておき、
該複数の入力端子への入力を変化させて、割当てられている出力端子からの出力の変化を確認することを特徴とする電子制御装置の入出力接続検査方法。
【請求項４】  複数の入力端子および出力端子を備えるマイクロコンピュータを搭載する電子制御装置に対し、
予め定める複数の出力端子に対して１つの入力端子を割当て、該複数の出力端子からは、該入力端子へ入力されるコードに対応する出力端子から出力を導出するように動作させておき、
該入力端子への入力コードを変化させて、該コードに対応する出力端子からの出力の変化を確認することを特徴とする電子制御装置の入出力接続検査方法。
【請求項５】  複数の入力端子および出力端子を備えるマイクロコンピュータを搭載する電子制御装置に対し、
予め定める複数の入力端子に対し、より多数の出力端子を割当て、該出力端子からは該複数の入力端子への入力状態に従って異なるパターンで出力が導出されるように動作させておき、入力端子への入力を変化させて、割当てられている出力端子からの出力の変化を確認することを特徴とする電子制御装置の入出力接続検査方法。
【請求項６】  複数の入力端子および出力端子を備えるマイクロコンピュータを搭載する電子制御装置に対し、
予め定める複数の出力端子に対し、より多数の入力端子を割当て、該複数の出力端子からは該複数の入力端子への入力パターンに対応する出力状態となるように動作させておき、入力端子への入力を変化させて、割当てられている出力端子からの出力の変化を確認することを特徴とする電子制御装置の入出力接続検査方法。
【請求項７】  複数の入力端子および出力端子を備えるマイクロコンピュータを搭載する電子制御装置に対し、
入力端子の数と出力端子の数が等しいとき、１入力端子に１出力端子を組合わせるように割当て、
入力端子の数が出力端子の数より多いとき、所定数の出力端子を残して入力端子と出力端子とをそれぞれ１つずつ組合わせ、残余の入力端子と該所定数残した出力端子とを組合わせるように割当て、
１つの入力端子と１つの出力端子との組合わせに対しては、各入力端子への入力を変化させて、それぞれ組合わされている出力端子からの出力の変化を確認し、
複数の入力端子と所定数の出力端子との組合わせに対しては、該複数の入力端子への入力状態に従って異なるようにコード化された出力が導出されるように動作させておいて、該複数の入力端子への入力を変化させて、組合わされている出力端子からの出力の変化を確認することを特徴とする電子制御装置の入出力接続検査方法。
【請求項８】  複数の入力端子および出力端子を備えるマイクロコンピュータを搭載する電子制御装置に対し、
入力端子の数と出力端子の数が等しいとき、１入力端子に１出力端子を組合わせるように割当て、
入力端子の数が出力端子の数より少ないとき、所定数の入力端子を残して入力端子と出力端子とをそれぞれ１つずつ組合わせ、該所定数の残された入力端子と残余の出力端子とを組合わせるように割当て、
１つの入力端子と１つの出力端子との組合わせに対しては、各入力端子への入力を変化させて、それぞれ組合わされている出力端子からの出力の変化を確認し、
所定数の入力端子と複数の出力端子との組合わせに対しては、該所定数の入力端子への入力状態に従って異なるパターンで該複数の出力端子から出力が導出されるように動作させておいて、該所定数の入力端子への入力を変化させて、組合わされている出力端子からの出力パターンを確認することを特徴とする電子制御装置の入出力接続検査方法。
【手続補正３】
【補正対象書類名】明細書
【補正対象項目名】０００１
【補正方法】変更
【補正の内容】
【０００１】
【発明の属する技術分野】
本発明は、複数の入力端子および出力端子を備えるマイクロコンピュータを搭載し、プログラムに従って各種制御や処理を行う電子制御装置の入出力接続検査方法に関する。
【手続補正４】
【補正対象書類名】明細書
【補正対象項目名】０００７
【補正方法】変更
【補正の内容】
【０００７】
本発明の目的は、全ての入力端子および出力端子の接続に問題がないことを迅速かつ容易に確認することができる電子制御装置の入出力接続検査方法を提供することである。
【手続補正５】
【補正対象書類名】明細書
【補正対象項目名】００２４
【補正方法】変更
【補正の内容】
【００２４】
前記入力端子はアナログ信号用入力端子を含み、
該アナログ信号用入力端子に出力端子を割当て、
該アナログ信号用入力端子に入力されるアナログ信号の入力レベルに応じて、該出力端子からは、予め定める複数段階で変化する出力を導出させてもよい。
【手続補正６】
【補正対象書類名】明細書
【補正対象項目名】００２５
【補正方法】変更
【補正の内容】
【００２５】
これによって、アナログ信号用の入力端子に対し、接続状態の確認と、さらに予め定める複数段階までの入力処理機能の確認も行うことができる。
【手続補正７】
【補正対象書類名】明細書
【補正対象項目名】００２６
【補正方法】変更
【補正の内容】
【００２６】
前記出力端子はアナログ信号用出力端子を含み、
該アナログ信号用出力端子に入力端子を割当て、
該アナログ信号用出力端子から出力されるアナログ信号の出力レベルを、該入力端子に入力される予め定める複数段階で変化する入力に対応させてもよい。
【手続補正８】
【補正対象書類名】明細書
【補正対象項目名】００２７
【補正方法】変更
【補正の内容】
【００２７】
これによって、アナログ信号用の出力端子に対し、接続状態の確認と、さらに予め定める複数段階までの出力処理機能の確認も行うことができる。
【手続補正９】
【補正対象書類名】明細書
【補正対象項目名】００２８
【補正方法】変更
【補正の内容】
【００２８】
前記入力端子はアナログ信号用入力端子を含み、
該アナログ信号用入力端子に複数の出力端子を割当て、
該アナログ信号用入力端子に入力されるアナログ信号の入力レベルに応じて変化する数の出力端子から出力を導出させてもよい。
【手続補正１０】
【補正対象書類名】明細書
【補正対象項目名】００２９
【補正方法】変更
【補正の内容】
【００２９】
これによって、アナログ信号用の入力端子と対応する出力端子との接続状態を確認し、アナログ信号用の入力端子の機能を複数段階の入力レベルまで出力が得られる出力端子の本数に基づいて確認することができる。
【手続補正１１】
【補正対象書類名】明細書
【補正対象項目名】００３０
【補正方法】変更
【補正の内容】
【００３０】
前記出力端子はアナログ信号用出力端子を含み、
該アナログ信号用出力端子に複数の入力端子を割当て、
該アナログ信号用出力端子から出力されるアナログ信号の出力レベルを、入力が与えられる入力端子の数に応じて変化させてもよい。
【手続補正１２】
【補正対象書類名】明細書
【補正対象項目名】００３１
【補正方法】変更
【補正の内容】
【００３１】
これによって、アナログ信号用の出力端子と対応する入力端子との接続状態を確認し、アナログ信号用の出力端子の機能を複数段階の出力レベルまで出力が得られる入力端子の本数に基づいて確認することができる。
【手続補正１３】
【補正対象書類名】明細書
【補正対象項目名】００３２
【補正方法】変更
【補正の内容】
【００３２】
さらに、複数の入力端子および出力端子を備えたマイクロコンピュータであって、
外部からの指令によりマイクロコンピュータの動作モードを通常制御モードから製造検査モードに切換えるモード切換手段と、
前記モード切換手段により製造検査モードに切換えられたとき、前記複数の入力端子の入力状態に応じて、予め定められた出力信号を前記複数の出力端子に出力する検査出力手段とを備えてもよい。
【手続補正１４】
【補正対象書類名】明細書
【補正対象項目名】００３３
【補正方法】変更
【補正の内容】
【００３３】
マイクロコンピュータはモード切換手段と検査出力手段とを備える。モード切換手段は、マイクロコンピュータの動作モードを外部からの指令によって製造検査モードに切換える。製造検査モードでは、検査出力手段によって、複数の入力端子への入力状態に応じ、複数の出力端子に予め定められた出力信号が出力されるので、入力端子および出力端子の接続状態を容易に確認することができる。
【手続補正１５】
【補正対象書類名】明細書
【補正対象項目名】００５９
【補正方法】変更
【補正の内容】
【００５９】
また、アナログ信号用の入力端子とデジタル信号用の出力端子との接続状態に異常がないことを確認し、かつアナログ信号の入力機能に異常がないことも出力端子からの出力によって確認することができる。
【手続補正１６】
【補正対象書類名】明細書
【補正対象項目名】００６０
【補正方法】変更
【補正の内容】
【００６０】
また、アナログ信号用の出力端子とデジタル信号用の入力端子との接続状態に異常がないことを確認し、かつアナログ信号の出力機能に異常がないことも入力端子からの出力によって確認することができる。
【手続補正１７】
【補正対象書類名】明細書
【補正対象項目名】００６１
【補正方法】変更
【補正の内容】
【００６１】
また、アナログ信号用の入力端子とデジタル信号用の出力端子との接続状態に異常がないことの確認と、出力端子での出力の組合わせで入力端子のアナログ信号処理の機能の確認も行うことができる。
【手続補正１８】
【補正対象書類名】明細書
【補正対象項目名】００６２
【補正方法】変更
【補正の内容】
【００６２】
また、アナログ信号用の出力端子とデジタル信号用の入力端子との接続状態に異常がないことの確認と、入力端子での出力の組合わせで出力端子のアナログ信号処理の機能の確認も行うことができる。
【手続補正１９】
【補正対象書類名】明細書
【補正対象項目名】００６３
【補正方法】変更
【補正の内容】
【００６３】
さらに、マイクロコンピュータの動作モードを切換えて、入力端子と出力端子との接続状態に異常がないことを確認することができる。